(57)【要約】【課題】音信号に対するダイナミックレンジコントロール処理のモードを変更する際のノイズを抑制する。【解決手段】制御部３１は、ユーザインターフェイス３２を介して入力されたＤＲＣモード変更指示に基づいて、デコード装置１０にＤＲＣモードを設定する。ＣＰＵ２２１は、デコード装置１０からデコーダ情報１２１及びＤＲＣ情報１２２を取得し、これらに基づいて、ゲイン係数テーブル２３からゲイン係数を取得し、デコード装置１０においてＤＲＣモードの変更が完了した後に、レベル制御部２４にゲイン係数を設定する。レベル制御部２４は、係数乗算器２１に設定するゲイン係数を、元のゲイン係数から新たなゲイン係数へ徐々に変化させるよう制御する。【選択図】図１
2007109328.tif 000002
【特許請求の範囲】
【請求項１】
デジタル圧縮された音信号に復号化処理を行うとともに、複数のダイナミックレンジコントロールモードのうち何れか一つのモード下でダイナミックレンジコントロール処理を行うデコード手段と、
前記デコード手段により復号化処理及びダイナミックレンジコントロール処理が行われた音信号のゲイン調整を行うゲイン調整手段と、
外部から入力されたダイナミックレンジコントロールモード変更指示に基づいて、前記デコード手段のダイナミックレンジコントロールモードを設定するモード設定手段と、
前記デコード手段が前記設定されたダイナミックレンジコントロールモードに変更された後に、当該変更されたダイナミックレンジコントロールモードに適したゲイン調整を行うよう前記ゲイン調整手段を制御する制御手段と、
を備えたことを特徴とする再生装置。
【請求項２】
請求項１に記載の再生装置において、
前記制御手段は、前記変更されたダイナミックレンジコントロールモードに適したゲイン調整を行うよう前記ゲイン調整手段を制御する際に、元のゲインから新たなゲインへ徐々に変化させることを特徴とする再生装置。
【請求項３】
請求項１又は２に記載の再生装置において、
前記制御手段は、前記デコード手段から現状のダイナミックレンジコントロールモードを示す情報を取得することにより、前記デコード手段が前記設定されたダイナミックレンジコントロールモードに変更されたことを判断することを特徴とする再生装置。
【発明の詳細な説明】
【技術分野】
【０００１】
本発明は、再生装置に関する。
【背景技術】
【０００２】
近年、音信号をデジタルデータとして記録する場合が多くなり、ドルビー（登録商標）デジタル、ＤＴＳ（Digital Theater System）、ＡＡＣ（Advanced Audio Coding）等のデジタル音信号の圧縮方法が知られている。例えば、サブバンド符号化方式により圧縮されたデジタル音信号をデコードする際に、複数チャンネルのビットストリームデータの各々に対応して設けられた逆量子化回路により、ビットストリームデータの各サブバンドサンプルをサブバンド毎に逆量子化し、複数の逆量子化回路の各サブバンド出力を、対応するサブバンド毎に合成し、合成された出力をサブバンド合成するデコーダが提案されている（例えば、特許文献１参照）。
【０００３】
また、複数の入力信号に対するミキサ手段の出力についての包絡線情報に基づいてゲイン係数を求め、ゲイン係数に基づいてダイナミックレンジコントロールを行う出力特性設定装置が提案されている（例えば、特許文献２参照）。
【０００４】
ドルビーデジタルのダイナミックレンジコントロール（Dynamic Range Control：以下、ＤＲＣという。）には、最大ＤＲＣモード、標準ＤＲＣモード、最小ＤＲＣモード、テレビ型ＤＲＣモードの４つのモードがある。
【０００５】
それぞれのモードの圧縮特性を図６、図７及び図８に示す。図６は、標準ＤＲＣモードの圧縮特性（Ｇstd）を最大ＤＲＣモード（Ｇmax）と比較して示した図である。また、図７は、最小ＤＲＣモードの圧縮特性（Ｇmin）を示す図であり、図８は、テレビ型ＤＲＣモードの圧縮特性（Ｇtv）を示す図である。
【０００６】
【表１】
2007109328.tif 000003
【０００７】
表１に、各ＤＲＣモードの設定方法を示す。表１に示すように、ＤＲＣモードを設定する際には、デコーダに対して動作モードとスケール係数を設定し、必要なゲイン調整を行う。動作モードとは、ドルビーデジタルで規定されている標準動作モードのことであり、ラインモードとＲＦ（Radio Frequency）モードの２つのモードがある。スケール係数とは、大きい音と小さい音それぞれ部分的に圧縮制御可能な係数である。
【０００８】
デコーダの実装方法にもよるが、一般的なデコーダＩＣでは、最大ＤＲＣモード、標準ＤＲＣモード、テレビ型ＤＲＣモードの３つのモードは実装しているが、最小ＤＲＣモードは実装していない場合がある。このため、ドルビーデジタルのＤＲＣを搭載する製品では、最小ＤＲＣモードに設定する場合には、デコーダをテレビ型ＤＲＣモードに設定してから係数乗算器又はゲイン調整回路等を用いて−１１ｄＢのゲイン調整を行っている。
【０００９】
図９に、従来のドルビーデジタルのＤＲＣを搭載する再生装置３００の機能的構成を示す。再生装置３００は、デコード装置５０、ゲイン調整装置６０、これらを制御する制御装置７０及びＤ／Ａ変換部８０により構成されている。
【００１０】
デコード装置５０は、デコード処理部５１、レジスタ５２及びインターフェイス５３を備える。デコード処理部５１は、ドルビーデジタル用のデコーダ５１１、ＤＴＳ用のデコーダ５１２、ＰＣＭ（Pulse Code Modulation）用のデコーダ５１３、ＡＡＣ用のデコーダ５１４の中から、ストリームに適合したデコーダを選択スイッチ５１５により選択し、復号化処理を行う。また、ドルビーデジタルの場合には、同時にＤＲＣ処理を行う。レジスタ５２は、現在選択されているデコーダを示すデコーダ情報５２１、現在設定されているＤＲＣモードを示すＤＲＣ情報５２２等を保持する。インターフェイス５３は、制御装置７０とのデータのやりとりを仲介する。
【００１１】
ゲイン調整装置６０は、係数乗算器６１及びインターフェイス６２を備える。係数乗算器６１は、デコード装置５０から出力された音信号に対して、チャンネル毎にゲイン調整を行う。インターフェイス６２は、制御装置７０とのデータのやりとりを仲介する。
【００１２】
制御装置７０は、制御部７１、ユーザインターフェイス７２及びインターフェイス７３を備える。制御部７１は、デコード装置５０にＤＲＣモードを設定し、ゲイン調整装置６０に適切なゲイン係数を設定する。ユーザインターフェイス７２は、ユーザからＤＲＣモード変更指示を受け付ける。インターフェイス７３は、デコード装置５０及びゲイン調整装置６０とのデータのやりとりを仲介する。
【特許文献１】特開２００２−４９３９４号公報
【特許文献２】特開平８−７０２２５号公報
【発明の開示】
【発明が解決しようとする課題】
【００１３】
しかし、ドルビーデジタルのような圧縮音信号は、ＰＣＭとは異なり、ある一定サンプル分のデータを１フレームとしているため、フレーム単位で復号化しなければならない。例えば、ドルビーデジタルでは、１５３６サンプル分のデータを１フレームと規定している。したがって、圧縮音信号入力時には、デコード装置５０はフレーム単位で復号化処理やＤＲＣ処理を行う必要がある。このため、制御装置７０がデコード装置５０にＤＲＣモードの変更を指示しても、実際には数千サンプル分遅れてデコード装置５０のＤＲＣモードが変更される。
【００１４】
一方、ゲイン調整装置６０は、ＰＣＭに復号化された音信号を扱うため、サンプル毎にゲイン調整を行う。このため、制御装置７０がゲイン調整装置６０のゲイン係数を変更した場合には、ゲイン調整装置６０は直ぐに変更されたゲイン係数でゲイン調整を行う。
【００１５】
したがって、制御装置７０がデコード装置５０とゲイン調整装置６０に同時に変更を指示した場合に、ゲイン調整装置６０のゲイン係数は直ちに変更されるが、デコード装置５０のＤＲＣモードの変更は遅延する。このように、デコード装置５０とゲイン調整装置６０の同期が取れていないため、短時間に急なゲインの変動が発生し、その結果ノイズが生じるという問題があった。
【００１６】
図１０に、ＤＲＣモードを最小ＤＲＣモードから標準ＤＲＣモードに変更する場合の入力信号、出力信号、デコード装置５０のＤＲＣモード、ゲイン調整装置６０に設定されるゲイン係数及び実現されるＤＲＣモードを示す。入力信号は、ドルビーデジタル方式でレベルが−２２ｄＢの正弦波である。なお、最小ＤＲＣモードは、デコード装置５０をテレビ型ＤＲＣモードに設定し、ゲイン調整装置６０のゲイン係数を−１１ｄＢに設定することにより実現される。
【００１７】
図１０に示す時刻Ｔ１１は、制御装置７０がデコード装置５０とゲイン調整装置６０に同時にモード変更を指示したタイミングを示す。デコード装置５０はフレーム単位で処理を行うため、時刻Ｔ１１において、ＤＲＣモードはテレビ型ＤＲＣモードのまま変化しないが、ゲイン調整装置６０は直ぐにゲイン係数を−１１ｄＢから０ｄＢへ変更する。
【００１８】
時刻Ｔ１２は、デコード装置５０が実際に標準ＤＲＣモードに変更されたタイミングを示す。時刻Ｔ１１から時刻Ｔ１２の間は、実現されるＤＲＣモードが最小ＤＲＣモード＋１１ｄＢとなり、意図しないモードになっている。このため、出力信号の波形に示されるように、短時間に急なゲインの変動が発生し、ノイズが生じ、ショック音が発生するおそれがあった。ショック音を防ぐために、従来はミュートをかけていた。
【００１９】
本発明は上記の従来技術における問題に鑑みてなされたものであって、音信号に対するダイナミックレンジコントロール処理のモードを変更する際のノイズを抑制することができる再生装置を提供することを課題とする。
【課題を解決するための手段】
【００２０】
上記課題を解決するために、請求項１に記載の発明は、デジタル圧縮された音信号に復号化処理を行うとともに、複数のダイナミックレンジコントロールモードのうち何れか一つのモード下でダイナミックレンジコントロール処理を行うデコード手段と、前記デコード手段により復号化処理及びダイナミックレンジコントロール処理が行われた音信号のゲイン調整を行うゲイン調整手段と、外部から入力されたダイナミックレンジコントロールモード変更指示に基づいて、前記デコード手段のダイナミックレンジコントロールモードを設定するモード設定手段と、前記デコード手段が前記設定されたダイナミックレンジコントロールモードに変更された後に、当該変更されたダイナミックレンジコントロールモードに適したゲイン調整を行うよう前記ゲイン調整手段を制御する制御手段と、を備えたことを特徴とする再生装置である。
【００２１】
請求項２に記載の発明は、請求項１に記載の再生装置において、前記制御手段は、前記変更されたダイナミックレンジコントロールモードに適したゲイン調整を行うよう前記ゲイン調整手段を制御する際に、元のゲインから新たなゲインへ徐々に変化させることを特徴とする。
【００２２】
請求項３に記載の発明は、請求項１又は２に記載の再生装置において、前記制御手段は、前記デコード手段から現状のダイナミックレンジコントロールモードを示す情報を取得することにより、前記デコード手段が前記設定されたダイナミックレンジコントロールモードに変更されたことを判断することを特徴とする。
【発明の効果】
【００２３】
本発明によれば、音信号に対するダイナミックレンジコントロール処理のモードを変更する際のノイズを抑制することができる。
【発明を実施するための最良の形態】
【００２４】
図１に、本発明の実施の形態における再生装置１００の機能的構成を示す。再生装置１００は、デコード装置１０、ゲイン調整装置２０、制御装置３０及びＤ／Ａ変換部４０により構成されている。
【００２５】
図１に示すように、デコード装置１０は、デコード処理部１１、レジスタ１２及びインターフェイス１３を備える。
【００２６】
デコード処理部１１は、ドルビーデジタル用のデコーダ１１１、ＤＴＳ用のデコーダ１１２、ＰＣＭ用のデコーダ１１３、ＡＡＣ用のデコーダ１１４、選択スイッチ１１５を備え、デジタル音信号のストリームに適合したデコーダを選択し、復号化処理を行う。また、デジタル音信号がドルビーデジタル方式で圧縮されている場合には、ドルビーデジタル用のデコーダ１１１は、復号化処理とともに、最大ＤＲＣモード、標準ＤＲＣモード、最小ＤＲＣモード、テレビ型ＤＲＣモードのうち何れか一つのモード下でＤＲＣ処理を行う（表１参照）。
【００２７】
レジスタ１２は、一時的にデータを格納しておくメモリデバイスであって、デコーダ情報１２１、ＤＲＣ情報１２２等を保持する。デコーダ情報１２１とは、現在選択されているデコーダを示す情報（ドルビーデジタル、ＤＴＳ、ＰＣＭ、ＡＡＣ等）をいう。何れのデコーダを選択するかは、デコード装置１０に内蔵されているデジタル音信号に適したデコーダを自動検出する手段（図示せず）により検出される。ＤＲＣ情報１２２とは、制御装置３０から設定された動作モード（ラインモード又はＲＦモード）、制御装置３０から設定されたスケール係数（０．０又は１．０）、現状のデコーダの動作モード（ラインモード又はＲＦモード）の３つの情報を含む。
【００２８】
インターフェイス１３は、制御装置３０とのデータのやりとりを仲介する。
【００２９】
ゲイン調整装置２０は、係数乗算器２１、ゲイン係数生成部２２、ゲイン係数テーブル２３、レベル制御部２４及びインターフェイス２５を備える。
【００３０】
係数乗算器２１は、デコード装置１０から出力された音信号に対して、チャンネル毎にゲイン調整を行う。ゲイン調整は、レベル制御部２４によって設定されるゲイン係数に基づいて行う。
【００３１】
ゲイン係数生成部２２は、ＣＰＵ（Central Processing Unit）２２１等を備える。ＣＰＵ２２１は、デコード装置１０からデコーダ情報１２１及びＤＲＣ情報１２２を取得し、デコーダ情報１２１及びＤＲＣ情報１２２に基づいて、デコーダ及びＤＲＣモードに適したゲイン係数をゲイン係数テーブル２３から取得し、レベル制御部２４にゲイン係数を設定する。ＤＲＣモード変更指示があった場合には、ＣＰＵ２２１は、デコード装置１０において、制御装置３０から設定されたＤＲＣモードへの変更が完了した後に、レベル制御部２４に新たなゲイン係数を設定する。
【００３２】
ゲイン係数テーブル２３は、デコーダ情報１２１及びＤＲＣ情報１２２と、ゲイン係数とを対応付けたテーブルであり、ゲイン調整装置２０の内蔵メモリに記憶されている。表２に、ゲイン係数テーブル２３を示す。
【００３３】
【表２】
2007109328.tif 000004
【００３４】
表２に示すように、ゲイン係数テーブル２３において、ＰＣＭ、ＤＴＳ、ＡＡＣについては、デコーダ毎にゲイン係数が設定されている。ドルビーデジタルの場合には、ＤＲＣモード（動作モードとスケール係数の組合せ）毎にゲイン係数が設定されている。ゲイン係数「７ＦＦＦＦＦ」は０ｄＢ、「２４１３４７」は−１１ｄＢに対応している。なお、ドルビーデジタルデコーダでは動作モードがＲＦモードの場合にはスケール係数は反映されないが（表１参照）、制御装置３０がデコード装置１０をどのモードに設定しているかをゲイン調整装置２０側で判断するために、最小ＤＲＣモードの場合にはスケール係数を０．０、テレビ型ＤＲＣモードの場合にはスケール係数を１．０に設定することとする。
【００３５】
レベル制御部２４は、ゲイン係数生成部２２から設定されたゲイン係数を係数乗算器２１に設定する。ゲイン係数の値を変更する場合には、レベル制御部２４は、係数乗算器２１に設定するゲイン係数を、元のゲイン係数から新たなゲイン係数へ徐々に変化させるよう制御する。ゲイン係数生成部２２及びレベル制御部２４により、特許請求の範囲に記載の制御手段が実現される。
【００３６】
インターフェイス２５は、デコード装置１０とのデータのやりとりを仲介する。
【００３７】
制御装置３０は、制御部３１、ユーザインターフェイス３２及びインターフェイス３３を備える。
【００３８】
制御部３１は、ユーザインターフェイス３２を介して入力されたＤＲＣモード変更指示に基づいて、デコード装置１０にＤＲＣモードを設定するモード設定手段である。
【００３９】
ユーザインターフェイス３２は、ユーザからＤＲＣモード変更指示を受け付け、制御部３１に出力する。
【００４０】
インターフェイス３３は、デコード装置１０とのデータのやりとりを仲介する。
【００４１】
Ｄ／Ａ変換部４０は、ゲイン調整装置２０から出力される信号に対してＤ／Ａ変換を行う。
【００４２】
次に、再生装置１００の動作を説明する。図２は、ゲイン係数生成部２２のＣＰＵ２２１により実行されるゲイン係数生成処理を示すフローチャートである。
【００４３】
まず、図２に示すように、インターフェイス２５を介して、デコード装置１０からデコーダ情報１２１とＤＲＣ情報１２２とが取得される（ステップＳ１，Ｓ２）。次に、デコーダ情報１２１と、ＤＲＣ情報１２２のうち制御装置３０からデコード装置１０に設定された動作モード及びスケール係数とに基づいて、ゲイン係数テーブル２３からデコーダ及びＤＲＣモードに適したゲイン係数が取得される（ステップＳ３）。
【００４４】
ここで、入力信号がドルビーデジタル方式であって、かつ、ＤＲＣモードの変更が指示されたか否かが判断される（ステップＳ４）。入力信号がドルビーデジタル方式であるか否かは、デコード装置１０から取得したデコーダ情報１２１により判断される。また、ＤＲＣモードの変更が指示されたか否かは、デコード装置１０から取得したＤＲＣ情報１２２と、ゲイン調整装置２０の内部に保持されている前回取得したＤＲＣ情報とが比較されることにより判断される。
【００４５】
入力信号がドルビーデジタル方式であって、かつ、ＤＲＣモードの変更が指示された場合には（ステップＳ４；ＹＥＳ）、ＤＲＣモードの変更が完了するまで待機状態となる（ステップＳ５）。具体的には、デコード装置１０からＤＲＣ情報１２２のうち現状のデコーダの動作モードを示す情報が一定間隔で取得され、ステップＳ２において取得された制御装置３０からデコード装置１０に設定された動作モードと同じモードになった場合に、ＤＲＣモードの変更が完了したと判断される。
【００４６】
ＤＲＣモードの変更が完了した場合（ステップＳ５；ＹＥＳ）、又は、入力信号がドルビーデジタル方式でない場合、若しくは入力信号がドルビーデジタル方式であってＤＲＣモードの変更が指示されていない場合には（ステップＳ４；ＮＯ）、ステップＳ３で取得したゲイン係数がレベル制御部２４に設定される（ステップＳ６）。
【００４７】
ここで、ＣＰＵ２２１は、ゲイン係数を０ｄＢから−１１ｄＢへ変更する場合は減算指示を、ゲイン係数を−１１ｄＢから０ｄＢへ変更する場合は加算指示をレベル制御部２４に設定する。例えば、標準ＤＲＣモードから最小ＤＲＣモードへの移行ならば減算指示を設定し、最小ＤＲＣモードから標準ＤＲＣモードへの移行ならば加算指示を設定する。
【００４８】
次に、図３を参照して、レベル制御部２４により実行されるレベル調整処理について説明する。レベル調整処理は、デコード装置１０から出力される音信号の１サンプル毎に実行される処理である。
【００４９】
ここでは、レベル制御部２４が保持しているゲイン係数を現状ゲイン係数、ゲイン係数生成部２２からレベル制御部２４に設定されたゲイン係数を目標ゲイン係数、係数乗算器２１に設定するゲイン係数を単にゲイン係数とする。また、予め定められた一定期間に現状ゲイン係数から目標ゲイン係数に徐々に変化させる際の差分を変化量とする。
【００５０】
図３に示すように、まず、１サンプル前に係数乗算器２１に設定したゲイン係数が現状ゲイン係数として設定される（ステップＳ１１）。次に、ゲイン係数生成部２２から減算指示が設定されたか加算指示が設定されたかが判断される（ステップＳ１２）。
【００５１】
ゲイン係数生成部２２から減算指示が設定された場合には（ステップＳ１２；ＹＥＳ）、現状ゲイン係数から変化量を減算した結果が現状ゲイン係数に代入される（ステップＳ１３）。ここで、現状ゲイン係数と、ゲイン係数生成部２２により設定された目標ゲイン係数とが比較され（ステップＳ１４）、現状ゲイン係数が目標ゲイン係数より小さい場合には（ステップＳ１４；ＹＥＳ）、目標ゲイン係数がゲイン係数に代入される（ステップＳ１５）。つまり、ゲイン係数が目標ゲイン係数（例えば−１１ｄＢ）より小さくならないようにする。ステップＳ１４において、現状ゲイン係数が目標ゲイン係数以上の場合には（ステップＳ１４；ＮＯ）、現状ゲイン係数がゲイン係数に代入される（ステップＳ１６）。
【００５２】
一方、ゲイン係数生成部２２から加算指示が設定された場合には（ステップＳ１２；ＮＯ）、現状ゲイン係数に変化量を加算した結果が現状ゲイン係数に代入される（ステップＳ１７）。ここで、現状ゲイン係数と、ゲイン係数生成部２２により設定された目標ゲイン係数とが比較され（ステップＳ１８）、現状ゲイン係数が目標ゲイン係数より大きい場合には（ステップＳ１８；ＹＥＳ）、目標ゲイン係数がゲイン係数に代入される（ステップＳ１９）。つまり、ゲイン係数が目標ゲイン係数（例えば０ｄＢ）より大きくならないようにする。ステップＳ１８において、現状ゲイン係数が目標ゲイン係数以下の場合には（ステップＳ１８；ＮＯ）、現状ゲイン係数がゲイン係数に代入される（ステップＳ２０）。
【００５３】
ステップＳ１５、ステップＳ１６、ステップＳ１９、ステップＳ２０の後、係数乗算器２１にゲイン係数が設定される（ステップＳ２１）。
【００５４】
なお、ゲイン係数を変更する際に、徐々に値を変化させるよう制御しない場合には、ゲイン係数生成部２２から設定されたゲイン係数を、そのまま係数乗算器２１に設定すればよい。
【００５５】
図４に、ＤＲＣモードを最小ＤＲＣモードから標準ＤＲＣモードに変更する場合の入力信号、出力信号、デコード装置１０のＤＲＣモード、ゲイン調整装置２０に設定されるゲイン係数及び実現されるＤＲＣモードを示す。入力信号は、ドルビーデジタル方式でレベルが−２２ｄＢの正弦波である。
【００５６】
図４に示す時刻Ｔ１は、制御装置３０がデコード装置１０にモード変更を指示したタイミングを示す。デコード装置１０はフレーム単位で処理を行うため、時刻Ｔ１において、ＤＲＣモードはテレビ型ＤＲＣモードのまま変化していない。
【００５７】
時刻Ｔ２は、デコード装置１０が実際に制御装置３０から指示されたＤＲＣモードに変更されたタイミングを示す。このタイミングで、ゲイン調整装置２０は、デコード装置１０から取得したＤＲＣ情報１２２（現状のデコーダの動作モードを示す情報）によりＤＲＣモードの変更が完了したと判断し、ゲイン係数の変更を開始する。
【００５８】
時刻Ｔ２から時刻Ｔ３の間は、ゲイン調整装置２０がゲイン係数を−１１ｄＢから０ｄＢへ徐々に変化させる途中の状態である。
【００５９】
時刻Ｔ３は、ゲイン調整装置２０においてゲイン係数の変更が完了したタイミングを示している。これより後は、変更指示されたＤＲＣモードになっている。
【００６０】
デコード装置１０において制御装置３０から指示されたＤＲＣモードへの変更が完了した後に、ゲイン調整装置２０においてゲイン係数を変更するので、図４の出力信号の波形に示されるように、短時間に急なゲインの変動が発生しない。ある一定期間（時刻Ｔ２の直後）ゲインが小さい期間があるが、これは聴感上気にならない部分である。
【００６１】
以上説明したように、再生装置１００によれば、デコード装置１０とゲイン調整装置２０の同期が取れているため、入力信号がドルビーデジタルの場合にＤＲＣモードを変更する際に生じるノイズを抑制することができる。また、ＤＲＣモードを変更する場合にミュートが必要ではなくなるため、システムの応答速度の高速化を図ることができる。
【００６２】
また、従来では、入力信号がドルビーデジタルからＰＣＭ、又はＰＣＭからドルビーデジタル等に変化する際に、ＤＲＣ有効又は無効時のノイズが発生するおそれがあったが、デコード装置１０とゲイン調整装置２０の同期を取ることにより、このノイズを抑制することができる。
【００６３】
なお、再生装置１００は、ＤＳＰ（Digital Signal Processor）により実現されることとしてもよい。
【００６４】
＜変形例＞
次に、本発明を適用した変形例として、再生装置２００について説明する。
図５に示す再生装置２００において、上記実施の形態に示した再生装置１００と同一の構成部分については同一の符号を付し、その構成については説明を省略する。以下、再生装置２００に特徴的な構成及び処理について説明する。
【００６５】
再生装置２００では、制御装置３０がゲイン係数生成部３４及びゲイン係数テーブル３５を備えた構成となっている。
【００６６】
制御部３１は、ユーザインターフェイス３２を介して入力されたＤＲＣモード変更指示に基づいて、デコード装置１０にＤＲＣモードを設定する。また、制御部３１は、ゲイン係数生成部３４がゲイン係数テーブル３５から取得したゲイン係数をゲイン調整装置２０のレベル制御部２４に設定する。
【００６７】
ユーザインターフェイス３２は、ユーザからＤＲＣモード変更指示を受け付け、制御部３１に出力する。
【００６８】
インターフェイス３３は、デコード装置１０及びゲイン調整装置２０とのデータのやりとりを仲介する。
【００６９】
ゲイン係数生成部３４は、デコード装置１０から取得したデコーダ情報１２１及びＤＲＣ情報１２２に基づいて、ゲイン係数テーブル３５からゲイン係数を取得し、制御部３１にゲイン係数を出力する。
【００７０】
ゲイン係数テーブル３５は、デコーダ情報１２１及びＤＲＣ情報１２２と、ゲイン係数とを対応付けたテーブルである。ゲイン係数テーブル３５の内容については、表２に示したゲイン係数テーブル２３と同様であるため、説明を省略する。
【００７１】
レベル制御部２４は、制御部３１から設定されたゲイン係数を係数乗算器２１に設定する。ゲイン係数の値を変更する場合には、レベル制御部２４は、係数乗算器２１に設定するゲイン係数を、元のゲイン係数から新たなゲイン係数へ徐々に変化させるよう制御する。
【００７２】
再生装置２００では、制御装置３０がゲイン係数生成部３４及びゲイン係数テーブル３５を備えているため、再生装置１００と比較して、ゲイン調整装置２０の構成が簡単になり、ゲイン調整装置２０の負荷が低減される。
【００７３】
また、レベル制御部２４も制御装置３０に含まれる構成にすれば、従来のゲイン調整装置を変更することなく本発明を実現することができる。
【００７４】
なお、上記実施の形態における記述は、本発明に係る再生装置の例であり、これに限定されるものではない。再生装置を構成する各装置の細部構成及び細部動作に関しても本発明の趣旨を逸脱することのない範囲で適宜変更可能である。
【図面の簡単な説明】
【００７５】
【図１】本発明の実施の形態における再生装置１００の機能的構成を示すブロック図である。
【図２】ゲイン係数生成部２２のＣＰＵ２２１により実行されるゲイン係数生成処理を示すフローチャートである。
【図３】レベル制御部２４により実行されるレベル調整処理を示すフローチャートである。
【図４】ＤＲＣモードを最小ＤＲＣモードから標準ＤＲＣモードに変更する場合の入力信号、出力信号、デコード装置１０のＤＲＣモード、ゲイン調整装置２０に設定されるゲイン係数及び実現されるＤＲＣモードを示す図である。
【図５】変形例における再生装置２００機能的構成を示すブロック図である。
【図６】標準ＤＲＣモードの圧縮特性を示すグラフである。
【図７】最小ＤＲＣモードの圧縮特性を示すグラフである。
【図８】テレビ型ＤＲＣモードの圧縮特性を示すグラフである。
【図９】従来の再生装置３００の機能的構成を示すブロック図である。
【図１０】ＤＲＣモードを最小ＤＲＣモードから標準ＤＲＣモードに変更する場合の入力信号、出力信号、デコード装置５０のＤＲＣモード、ゲイン調整装置６０に設定されるゲイン係数及び実現されるＤＲＣモードを示す図である。
【符号の説明】
【００７６】
１０  デコード装置
１１  デコード処理部
１１１  ドルビーデジタル用のデコーダ
１１２  ＤＴＳ用のデコーダ
１１３  ＰＣＭ用のデコーダ
１１４  ＡＡＣ用のデコーダ
１１５  選択スイッチ
１２  レジスタ
１２１  デコーダ情報
１２２  ＤＲＣ情報
１３  インターフェイス
２０  ゲイン調整装置
２１  係数乗算器
２２  ゲイン係数生成部
２２１  ＣＰＵ
２３  ゲイン係数テーブル
２４  レベル制御部
２５  インターフェイス
３０  制御装置
３１  制御部
３２  ユーザインターフェイス
３３  インターフェイス
３４  ゲイン係数生成部
３５  ゲイン係数テーブル
４０  Ｄ／Ａ変換部
５０  デコード装置
５１  デコード処理部
５１１  ドルビーデジタル用のデコーダ
５１２  ＤＴＳ用のデコーダ
５１３  ＰＣＭ用のデコーダ
５１４  ＡＡＣ用のデコーダ
５１５  選択スイッチ
５２  レジスタ
５２１  デコーダ情報
５２２  ＤＲＣ情報
５３  インターフェイス
６０  ゲイン調整装置
６１  係数乗算器
６２  インターフェイス
７０  制御装置
７１  制御部
７２  ユーザインターフェイス
７３  インターフェイス
８０  Ｄ／Ａ変換部
１００  再生装置
２００  再生装置
３００  再生装置
【図１】
2007109328.tif 000005
【図２】
2007109328.tif 000006
【図３】
2007109328.tif 000007
【図４】
2007109328.tif 000008
【図５】
2007109328.tif 000009
【図６】
2007109328.tif 000010
【図７】
2007109328.tif 000011
【図８】
2007109328.tif 000012
【図９】
2007109328.tif 000013
【図１０】
2007109328.tif 000014